(57)【要約】【課題】高温、高湿な環境下での使用においても、キャビネット本体の両側板部と電池蓋の両側板部との間にギャップ部Ｇが形成されることがない小型電子機器を提供する。【解決手段】電池収納室Ｒが形成されたキャビネット本体14と、前記電池収納室Ｒに収納されるべき電池42と電池収納室Ｒを覆うべき電池蓋41とを一体化してなる電池パック４とを具え、前記キャビネット本体14に対して電池蓋41が着脱操作可能に係合している小型電子機器において、前記電池収納室Ｒの底面に前記電池42を受け止めるべき支持板６を設置し、該支持板６の中央部に開口61を形成する。【選択図】図４
2008251454.tif 000002
【特許請求の範囲】
【請求項１】
電池収納室Ｒが形成されたキャビネット本体(14)と、前記電池収納室Ｒに収納されるべき電池(42)と電池収納室Ｒを覆うべき電池蓋(41)とを一体化してなる電池パック(４)とを具え、前記キャビネット本体(14)に対して電池蓋(41)が着脱操作可能に係合している小型電子機器において、前記電池収納室Ｒの底面には前記電池(42)を受け止めるべき支持板(６)が設置され、該支持板(６)の中央部には開口(61)が形成されていることを特徴とする小型電子機器。
【請求項２】
前記支持板(６)は金属製である請求項１に記載の小型電子機器。
【請求項３】
前記キャビネット本体(14)の内部には、前記電池収納室Ｒを挟んで両側に、第１の基板と第２の基板が配備され、何れか一方の基板はグランド電位部に接続され、前記支持板(６)によって第１の基板と第２の基板とが互いに電気的に接続されている請求項２に記載の小型電子機器。
【請求項４】
前記第１の基板は、アンテナが内蔵されたアンテナ基板(53)であると共に、前記第２の基板は、前記のアンテナを用いた通信処理を行なう高周波基板(52)である請求項３に記載の小型電子機器。
【発明の詳細な説明】
【技術分野】
【０００１】
本発明は、携帯電話機などの小型電子機器に関するものである。
【背景技術】
【０００２】
従来の携帯電話機は、図５に示す如く、電池収納室が形成されたキャビネット本体(101)と、電池収納室に収納される電池(108)と電池収納室を覆うべき電池蓋(109)とが超音波溶接により一体化された電池パック(103)とを具えている(特許文献１、２、３)。キャビネット本体(101)は、両端に２つの側板部(110)(110)を具えると共に、前記電池収納室の底部に支持板(111)が設置されている。キャビネット本体(101)の電池収納室には、電池パック(103)が着脱操作可能に装着されている。
【０００３】
電池(108)は、電池本体(111)と電池本体(112)を格納する電池ケース(113)とによって構成されている。該電池蓋(109)は、図６に示す如く、主板部(114)と、主板部(114)の両端部に突設された２つの側板部(115)(115)とを具えている。又、前記電池蓋(109)は、電池(108)と電池蓋(109)の主板部(114)とが超音波溶接によって一体化されている。
【特許文献１】特開２０００−３４０１９６号公報
【特許文献２】特開２００２−２５５２１号公報
【特許文献２】特開２００４−１２０１４０号公報
【発明の開示】
【発明が解決しようとする課題】
【０００４】
ここで、前記電池パック(103)においては、高温、高湿な環境下での使用により、図７の二点鎖線に示す如く、電池(108)が厚さ方向に膨張することがある(特許文献４)。厚さ方向に膨張した電池(108)は、前記支持板(111)を圧迫すると共に、電池蓋(109)を押し上げることによって、図５に示す如く、該キャビネット本体(101)の両側板部(110)(110)と前記電池蓋(109)の両側板部(115)(115)との間にギャップ部Ｇが形成されるという問題があった。
【特許文献４】特開２００７−２８０９４号公報
【０００５】
本発明は、高温、高湿な環境下での使用においても、キャビネット本体の両側板部と電池蓋の両側板部との間にギャップ部Ｇが形成されることのない小型電子機器を提供することを目的とする。
【課題を解決するための手段】
【０００６】
本発明の小型電子機器は、電池収納室Ｒを有するキャビネット本体(14)と、前記電池収納室Ｒに収納されるべき電池(42)と電池収納室Ｒを覆うべき電池蓋(41)とを一体化してなる電池パック(４)とを具え、前記キャビネット本体(14)に対して電池蓋(41)が着脱操作可能に係合している。前記電池収納室Ｒの底面には前記電池(42)を受け止めるべき支持板(６)が設置され、該支持板(６)の中央部には開口(61)が形成されている。
【０００７】
上記本発明の小型電子機器によれば、支持板(６)の中央部に開口(61)が形成されているので、厚さ方向に膨張した電池パック(４)の膨張部分が該開口(61)に収納されることによって、電池蓋(41)が押し上げられることを防止することが可能である。従って、電池蓋(41)の側板部(46)とキャビネット本体(14)の側板部(11)とがギャップ部Ｇを形成することがなくなる。
【０００８】
他の具体的構成において、前記支持板(６)は金属製である。
該具体的構成によって、支持板に合成樹脂材料を用いた場合と同等もしくはそれ以上の機械的強度を有し、且つ支持板(６)の厚さを薄くすることが可能である。
【０００９】
更に、他の具体的構成において、前記キャビネット本体(14)の内部には、前記電池収納室Ｒを挟んで両側に、第１の基板と第２の基板が配備され、何れか一方の基板はグランド電位部に接続され、前記支持板(６)によって第１の基板と第２の基板とが互いに電気的に接続されている。
【００１０】
該具体的構成によって、第1基板及び第２基板を共にグランド電位に接続することが可能である。
【００１１】
更に、他の具体的構成において、前記第１の基板は、アンテナが内蔵されたアンテナ基板(53)であると共に、前記第２の基板は、前記のアンテナを用いた通信処理を行なう高周波基板(52)である。
【００１２】
該具体的構成によって、アンテナ基板(53)及び高周波基板(52)による通信状態におけるノイズを低減することが可能である。
【発明の効果】
【００１３】
本発明の小型電子機器によれば、高温、高湿な環境下での使用においても、キャビネット本体の両側板部と電池蓋の両側板部との間にギャップ部Ｇが形成されることがない。
【発明を実施するための最良の形態】
【００１４】
以下、本発明を折り畳み式携帯電話機に実施した形態につき、図面に沿って説明する。
本発明に係る折り畳み式携帯電話機においては、図１に示す如く、操作側筐体(１)と表示側筐体(２)とが、ヒンジ機構(３)を介して、互いに開閉可能に連結されている。
【００１５】
操作側筐体(１)は電池パック(４)を具え、表示側筐体(２)との対向面に、複数の操作釦(図示省略)が配備されている。表示側筐体(２)には、操作側筐体(１)との対向面に、メインディスプレイ(図示省略)が配備されると共に、表示側筐体(２)の背面にはサブディスプレイ(20)が配備されている。
【００１６】
本発明の折り畳み式携帯電話機は、図２に示す如く、操作側筐体(１)のキャビネット本体(14)に、電池収納室Ｒと、電池収納室Ｒの両端部に突設された２枚の側板部(11)(11)とを具えている。又、該キャビネット本体(14)は、該電池収納室Ｒを挟んで両側に、アンテナ基板(53)と高周波基板(52)とを配備している。アンテナ基板(53)と高周波基板(52)とは、同軸ケーブル(７)によって電気的に互いに接続されている。該同軸ケーブルは、中央部にアース用に配線露出部(7a)を具えている。
【００１７】
電池収納室Ｒには中央部に開口(61)を有するステンレス鋼製の支持板(６)が設置されている。該支持板(６)の両端部には、２つの第１連結片(62)(62)と２つの第２連結片(63)(63)とが突設され、該２つの第１連結片(62)(62)は高周波基板(52)に連結され、該２つの第２連結片(63)(63)はアンテナ基板(53)に連結されている。
該支持板(６)は、第１連結片(62)(62)及び第２連結片(63)(63)を介して、アンテナ基板(53)と高周波基板(52)とを支持している。又、支持板(６)と電池収納室Ｒの底部との間には同軸ケーブル(７)が設置されている。
【００１８】
又、支持板(６)は同軸ケーブル(７)の配線露出部(7a)と電気的に接続することによって、アンテナ基板(53)及び高周波基板(52)を、支持板(６)を介してグランド電位部に接続している。更に、第１連結片(62)(62)を介して、支持板(６)が高周波基板(52)に連結されることによって、該高周波基板(52)に対する放熱効果が発揮されている。
【００１９】
アンテナ基板(53)には、アンテナ基板カバー(13)が被せられている。高周波基板(52)には、高周波基板カバー(12)が被せられている。高周波基板カバー(12)の端部には２つの舌片(15)(15)が突設されており、該２つの舌片(15)(15)はヒンジ機構(３)の両端部を覆っている。
【００２０】
キャビネット本体(14)の電池収納室Ｒには、支持板(６)を介して、電池パック(４)が着脱操作可能に収納されている。電池蓋(41)の端部には、２つの爪片(17)(17)が突設されており、高周波基板カバー(12)の電池収納室Ｒに面する端面に設けられた２つの接続孔(図示省略)に挿入されている。また、アンテナ基板カバー(13)は、電池パック(４)をロックすべきロック機構(16)を有し、該ロック機構(16)は電池パック(４)を着脱操作可能にロックしている。
【００２１】
電池パック(４)は、図３に示す如く、電池(42)と、超音波溶接によって電池(42)に接合された電池蓋(41)とから構成されている。電池(42)は、電池本体(43)と、該電池本体(43)を格納する電池ケース(44)とから構成されている。電池蓋(41)は、電池(42)と超音波溶接される主板部(45)と、該主板部(45)の両端に接続された２つの側板部(46)(46)とを有している。主板部(45)の端部には、高周波基板カバー(12)の２つの接続孔に挿入されるべき２つの爪片(17)(17)が突設されている。
【００２２】
キャビネット本体(14)の電池収納室Ｒに収納された電池パック(４)を、高温、高湿な環境下で使用することにより、電池パック(４)は厚さ方向に膨張することになる。この時、従来の携帯電話機(100)では、図５に示す如く、電池パック(103)の膨張によって、該電池パック(103)がキャビネット本体(101)の電池収納室Ｒの内部を覆う支持板(111)を圧迫し、その反力により、該電池パック(103)が前記電池収納室Ｒから外側に浮き上がる。その結果、電池蓋(109)の両側板部(115)(115)とキャビネット本体(101)の両側板部(110)(110)との間にそれぞれギャップ部Ｇが形成される。
【００２３】
一方、本発明に係る携帯電話機では、図４に示す如く、膨張した電池パック(４)の膨張した部分が開口(61)に収容されることによって、電池収納室Ｒの底面を圧迫する力が緩和される。その結果、支持板(６)及び電池収納室Ｒから受ける反力が軽減されるため、前記電池収納室Ｒから外側への電池パック(４)の浮き上がりが防止される。その結果、電池蓋(41)の両側板部(46)(46)とキャビネット本体(14)の両側板部(11)(11)との間のギャップ部Ｇの形成が防止される。
【００２４】
前記開口(61)の大きさは支持板(６)の材料の強度を考慮して決定されるが、少なくとも、支持板(６)がアンテナ基板(53)及び高周波基板(52)を支持し得る機械的強度を維持できる範囲内であればよい。
【００２５】
尚、本発明の各部構成は上記実施の形態に限らず、特許請求の範囲に記載の技術的範囲内で種々の変形が可能である。上記実施の形態においては、本発明の小型電子機器を折り畳み式携帯電話機に実施した形態について説明したが、これに限定するものではなく、ＰＨＳ(パーソナルハンディフォンシステム)、ノート型パーソナルコンピューターなどの小型電子機器にも実施可能である。
【図面の簡単な説明】
【００２６】
【図１】本発明に係る折り畳み式携帯電話機の斜視図である。
【図２】該折り畳み式携帯電話機の操作側筐体の分解斜視図である。
【図３】電池パックの構成を示す分解斜視図である。
【図４】本発明を実施した携帯電話機における操作側筐体の断面図である。
【図５】従来の携帯電話機における操作側筐体の断面図である。
【図６】電池蓋と電池とが超音波溶接される過程を示す斜視図である。
【図７】電池の膨張状態を示す断面図である。
【符号の説明】
【００２７】
(１)  操作側筐体
(11)  側板部
(14)  キャビネット本体
(３)  ヒンジ機構
(４)  電池パック
(41)  電池蓋
(42)  電池
(43)  電池本体
(44)  電池ケース
(45)  主板部
(46)  側板部
(52)  高周波基板
(53)  アンテナ基板
(７)  同軸ケーブル
(６)  支持板
(61)  開口
Ｒ  電池収納室
Ｇ  ギャップ部
【図１】
2008251454.tif 000003
【図２】
2008251454.tif 000004
【図３】
2008251454.tif 000005
【図４】
2008251454.tif 000006
【図５】
2008251454.tif 000007
【図６】
2008251454.tif 000008
【図７】
2008251454.tif 000009